(57)【要約】【課題】コーヒー抽出時に、バスケットの受け口縁と本体間の間隙から蒸気が漏出し難く、本体に付着した結露水がジャグを載せる熱板に流れ難いコーヒーメーカーを提供する。【解決手段】コーヒー抽出用の熱湯を沸かす本体１にフィルタ保持用のバスケット５を設け、前記バスケット５の上方を覆う本体上部４にバスケット５の受け口５１に臨む熱湯の吐出口４２を設けているコーヒーメーカーにおいて、本体１のバスケット５の受け口縁５４よりも上方の部分に受け口縁５４に向けて突出する壁面７を設け、受け口縁５４と本体１間の間隙を狭めている。【選択図】図１
2006230617.tif 000002
【特許請求の範囲】
【請求項１】
コーヒー抽出用の熱湯を沸かす本体にフィルタ保持用のバスケットを設け、前記バスケットの上方を覆う本体上部に前記バスケットの受け口に臨む熱湯の吐出口を設けているコーヒーメーカーにおいて、前記本体の前記バスケットの受け口縁よりも上方の部分に前記受け口縁に向けて突出する壁面を設け、前記受け口縁と前記本体間の間隙を狭めていることを特徴とするコーヒーメーカー。
【請求項２】
前記壁面の下端内縁を、前記受け口縁よりも内方に設けていることを特徴とする請求項１に記載のコーヒーメーカー。
【発明の詳細な説明】
【技術分野】
【０００１】
この発明は、コーヒーメーカーに関し、特に、コーヒー抽出用の熱湯を沸かす本体にフィルタ保持用のバスケットを設け、前記バスケットの上方を覆う本体上部に前記バスケットの受け口に臨む熱湯の吐出口を設けているものに関する。
【背景技術】
【０００２】
この種のコーヒーメーカーは、通常、本体に水タンクを支持させ、水タンクを受ける本体下部の上面にジャグを載せる熱板を設け、この熱板の下方には、電熱ヒータを配設すると共に、水タンクから供給される水を電熱ヒータに沿って送るための湯水パイプを通し、この湯水パイプ内で加熱された熱湯を本体上部に移送し、本体上部の吐出口からバスケットの受け口に注ぐようになっている（特許文献１）。
【０００３】
【特許文献１】特開２００２−５１９１５号公報（図１参照）
【発明の開示】
【発明が解決しようとする課題】
【０００４】
しかしながら、特許文献１のコーヒーメーカーでは、バスケットの受け口縁の本体支持部側に大きな切欠きが設けられている。このため、熱湯を注ぐ際に、蒸気が切欠き部分から漏れて本体上部や本体支持部等で結露し、この結露水が本体を伝って熱板まで流れ易い。このように、従来のコーヒーメーカーでは、結露水が熱板に流れることについて十分な対策が施されていなかった。
【０００５】
ところが、コーヒー抽出中、熱板はジャグ内のコーヒー液を保温するべく高温に加熱されている。このため、熱板に流れた結露水はジュッと音を立てて蒸発する。この蒸発音は、製品の使用感に悪印象を与えるので、好ましくない。
【０００６】
そこで、この発明の課題は、コーヒー抽出時に、バスケットの受け口縁と本体間の間隙から蒸気が漏出し難く、本体に付着した結露水がジャグを載せる熱板に流れ難いコーヒーメーカーを提供することにある。
【課題を解決するための手段】
【０００７】
前記の課題を解決するため、この発明は、コーヒー抽出用の熱湯を沸かす本体にフィルタ保持用のバスケットを設け、前記バスケットの上方を覆う本体上部に前記バスケットの受け口に臨む熱湯の吐出口を設けているコーヒーメーカーにおいて、前記本体の前記バスケットの受け口縁よりも上方の部分に前記受け口縁に向けて突出する壁面を設け、前記受け口縁と前記本体間の間隙を狭めている構成とした。
【０００８】
この発明の構成によれば、前記壁面が受け口縁と本体間を狭めているので、本体とバスケットとの間の空間が閉鎖的に形成される。このため、熱湯の吐出に伴い立ち上がる蒸気が上記の空間から漏れ難くなり、その分、本体支持部や本体上部の側面に結露が付着し難くなる。立ち上がった蒸気は、上記の空間や本体上部内にこもることになり、本体上部の下面や前記壁面で結露する。この結露水は、本体上部からバスケットの受け口に向けて直接落下する他、前記壁面がバスケットの受け口縁に向けて突出しているので、前記壁面によりバスケットの受け口縁に向かって導かれる。したがって、結露水は、前記壁面の下端内縁から受け口内に落下し易くなり、本体正面や側面を伝って熱板まで流れ難くなる。なお、受け口内に入った結露水は、バスケット内のコーヒー粉末やフィルタに吸収される。
【０００９】
ここで、前記壁面の下端内縁が前記受け口縁の直上またはこれよりも外方に位置していると、結露水が壁面下端から落下した際、受け口縁から零れることも起こり得る。
【００１０】
そこで、この発明では、前記壁面の下端内縁を前記受け口縁よりも内方に設けている構成を採用することが好ましい。この構成によれば、前記壁面に導かれた結露水が、より確実に前記受け口内に落下するようになる。
【００１１】
なお、この発明では、本体とバスケットとの間の空間を前記壁面により完全に閉鎖する必要はない。例えば、バスケットを前記本体に対して水平方向に開閉自在に備わるバスケットホルダに収容するように設けた場合には、バスケットホルダを閉じる時に、前記壁面がバスケット及びフィルタに接触するのを避けることが好ましい。このため、バスケットホルダが閉じ位置にある状態で、前記壁面とバスケットの受け口縁との間にある程度のギャップを設けてもよい。このようなギャップを設けた場合でも、バスケットと本体との間の隙間は前記壁面で狭められるので、上記結露や結露水の漏出が低減される。
【発明の効果】
【００１２】
上述のように、この発明によれば、コーヒー抽出時に、バスケットの受け口縁と本体間の間隙から蒸気が漏出し難く、本体に付着した結露水がジャグを載せる熱板に流れ難いコーヒーメーカーを提供することができる。
【発明を実施するための最良の形態】
【００１３】
以下、この発明の最良の実施形態に係るコーヒーメーカーを、添付図面に基づいて説明する。図１は、実施形態に係るコーヒーメーカーの縦断右側面図を示している。図１に示すように、このコーヒーメーカーは、コーヒー抽出用の熱湯を沸かす本体１と、本体１に着脱される水タンクＴと、コーヒー液を貯めるジャグＪとを備える。
【００１４】
本体１は、水タンクＴの受け口部２１、およびジャグＪを載せる熱板２２を上面に設けた本体下部２と、受け口部２１に装着された水タンクＴを支持するように本体下部２に立設された支持部３と、熱板２２の上方を覆うように支持部３の上部に連設された本体上部４と、本体上部４の下面に上方を覆われるバスケット５とを有する。
【００１５】
本体下部２内には、熱板２２の下方に電熱ヒータ２３が配設されている。電熱ヒータ２３は、熱板２２の下面に環状に取り付けられており、この電熱ヒータ２３に沿って湯水パイプ２４が配設されている。
【００１６】
図２（ａ）は、コーヒーメーカーの全体構成を左側面側から概念的に示している。図２（ｂ）は、本体下部２内における湯水パイプ２４の構成を示し、同（ｃ）は、接続チューブ２７の縦断面を示している。
【００１７】
湯水パイプ２４は、図２（ａ）〜（ｃ）に示すように、受け口部２１に接続された導水パイプ２５と、導水パイプ２５に接続された第１パイプ２６と、接続チューブ２７を介して第１パイプ２６と接続された第２パイプ２８とから構成されている。
【００１８】
導水パイプ２５は、受け口部２１に流入した水を電熱ヒータ２３の下方まで導くようになっている。第１パイプ２６は、電熱ヒータ２３に沿った後に水タンクＴの最高水位よりも上方位置まで立ち上る。その終端口２６ａは、斜め上向きに設けられている。
【００１９】
接続チューブ２７は、終端口２６ａが斜め上向きに挿入される流入口２７ａと、第２パイプ２８の始端口２８ａが鉛直上向きに挿入される流出口２７ｂとを備え、水タンクＴの最高水位よりも上方位置で第１パイプ２６と第２パイプ２８とを連通させる。流入口２７ａと流出口２７ｂとの連通部分には、ある程度余裕が設けられている。
【００２０】
第２パイプ２８は、流出口２７ｂから鉛直下向きに電熱ヒータ２３の下方まで下り、電熱ヒータ２３に沿った後に立ち上がって本体上部４内に至る。第２パイプ２８の終端口２８ｂは、本体上部４に取り付けられた浄水フィルタ部４１に向けて設けられている。浄水フィルタ部４１は、本体上部４の下面に突出しており、ろ過された熱湯の吐出口４２が下向きに複数設けられている（図１参照）。
【００２１】
上記の湯水パイプ２４、接続チューブ２７の構成では、第１パイプ２６が電熱  ヒータ２３に沿った部分で加熱される。この加熱により第１パイプ２６内で生  じた気泡と熱湯は、接続チューブ２７の連通部分で分離された後に第２パイプ２８を下り、第２パイプ２８が電熱ヒータ２３に沿った部分で再加熱される。再加熱された熱湯は、吐出口４２より吐出され、本体１に設けられたバスケット５に注がれる。
【００２２】
バスケット５は、図１に示すように、上端開放の受け口５１を有する略逆円錐のカップ状に設けられており、コーヒー粉末を入れたフィルタが保持されるようになっている。このバスケット５は、支持部３に対して水平方向に開閉自在に備わるバスケットホルダ６に着脱自在に収容されている。
【００２３】
図３（ａ）は、バスケットホルダ６が開き位置にある状態の本体１の外観を右斜め上方視で示し、同（ｂ）は、バスケットホルダ６が閉じ位置にある状態を同様の視線で示している。図４は、バスケットホルダ６の分解状態を右斜め下方の視線で示している。
【００２４】
バスケットホルダ６は、図４に一点鎖線で示すように、支持部３に回動自在に軸支されており、図３（ａ）に示すように、開き位置にある状態で本体上部４の下方から退避する。また、バスケットホルダ６は、図３（ｂ）に示すように、閉じ位置にある状態で本体上部４および支持部３とぴったり閉じ合うようになっている。
【００２５】
バスケットホルダ６の内部には、バスケット５を保持する収容部６１が設けられている。収容部６１の底部は開口しており、バスケット５の底部排出口５２に設けられた開閉弁５３が突出するようになっている。開閉弁５３は、ばねにより常時下方に付勢されており、この付勢力により底部排出口５２を閉じ、ジャグＪとの接触によりばねの弾力に抗して上動されると底部排出口５２を開くようになっている。
【００２６】
ここで、バスケットホルダ６は、開閉時に浄水フィルタ部４１に接触することを防止するため、浄水フィルタ部４１を通過させるための空間が背面上部に開放されている。また、同様の目的で、バスケット５の受け口縁５４は、前方側の一部を除く他の部分が段差状に大きく水平に切欠かれた形状となっている。この受け口縁５４は、バスケットホルダ６が閉じ位置にある状態で、本体上部４の下面に対して上下に対向するように設けられており、バスケット５は、上記の状態で受け口５１が吐出口４２に臨むようになっている。
【００２７】
一方、本体１の受け口縁５４よりも上方の部分には、バスケットホルダ６が閉じ位置にある状態でバスケット５の受け口縁５４の切欠き部分に向けて突出する関係になる壁面７が設けられている。
【００２８】
図５は、図１のバスケット５の受け口縁５４と本体上部４の下面を抜き出した拡大図である。図６は、図１のＸ−Ｘ線の矢視図であり、その図中に示す２点鎖線は、バスケットホルダ６が閉じ位置にある状態での受け口縁５４の外形を示している。
【００２９】
壁面７は、図５、図６に示すように、上記の状態で受け口縁５４の切欠き部分に対して本体上部４の下面から下向きに突出する縦壁面から構成されており、上記の切欠き部分に沿うように設けられている。壁面７の下端は、水平面とされ、支持部３に連続している。
【００３０】
壁面７と受け口縁５４との間には、バスケット５との接触を防止するため、必要な間隙が設けられている。受け口縁５４の切欠き部分以外の部分は、本体上部４の下面に対して僅かに隙間をもって対向ように設けられている。したがって、壁面７が受け口縁５４の切欠き部分と本体１間の間隙を狭めることにより、本体上部４の下面とバスケット５との間の空間が略閉鎖的に形成される。
【００３１】
なお、支持部３からバスケット５に向けて突出するリブ３１は、バスケット５を直立状態に支持するためと、バスケット５の後部と本体１との隙間から蒸気が漏れるのを防ぐためと、結露水が熱板２２に垂れるのを防ぐために形成されている。
【００３２】
上記の構成によれば、熱湯の吐出に伴い立ち上がる蒸気は、大部分が本体上部４の下面や壁面７に結露する。ここで、壁面７の下端内縁７１は受け口縁５４よりも２〜３ｍｍ程度内方に設けられている。このため、結露水は、本体上部４の下面からバスケット５の受け口５１に向けて直接落下する他、壁面７により受け口縁５４側に向かって導かれ、下端内縁７１から受け口５１内に直接落下する。
【図面の簡単な説明】
【００３３】
【図１】実施形態に係るコーヒーメーカーの縦断右側面図
【図２】（ａ）同上の湯水パイプの構成を概念的に示す概略全体構成図、（ｂ）同上の本体下部の概略下面図、（ｃ）同上の湯水パイプの接続チューブを示す部分拡大縦断面図
【図３】（ａ）同上のバスケットホルダが開き位置にある状態の本体斜視図、（ｂ）同上のバスケットホルダが閉じ位置にある状態の本体斜視図
【図４】同上のバスケットホルダの分解斜視図
【図５】図１のバスケットの受け口縁と本体下部の下面を抜き出した拡大図
【図６】図１のＸ−Ｘ線の矢視図
【符号の説明】
【００３４】
１  本体
２  本体下部
３  支持部
４  本体上部
５  バスケット
６  バスケットホルダ
７  壁面
２１  受け口部
２２  熱板
２３  電熱ヒータ
２４  湯水パイプ
２５  導水パイプ
２６  第１パイプ
２７  接続チューブ
２８  第２パイプ
３１  リブ
４１  浄水フィルタ部
４２  吐出口
５１  受け口
５２  底部排出口
５３  開閉弁
５４  受け口縁
６１  収容部
７１  下端内縁
Ｊ  ジャグ
Ｔ  水タンク
【図１】
2006230617.tif 000003
【図２】
2006230617.tif 000004
【図３】
2006230617.tif 000005
【図４】
2006230617.tif 000006
【図５】
2006230617.tif 000007
【図６】
2006230617.tif 000008